(57)【特許請求の範囲】
【請求項１】
物体の接触を検知する第１および第２のタッチパネルと、
前記第１のタッチパネルに表示される、それぞれがデータを示す複数の画像と、各画像の当該第１のタッチパネルにおける表示位置とを対応付け、前記第１のタッチパネルにて検知された前記物体の接触の位置に基づいて前記複数の画像のうちから画像を選択し、該選択画像が示すデータに対する処理を、予め決められた複数の種類の処理のうちから、前記第２のタッチパネルにて検知された前記物体の接触の状態に基づいて決定する制御部と、を有し、
前記制御部は、前記選択画像として前記複数の画像のうちから２つ以上の画像を選択し、該２つ以上の選択画像が示すデータに対して、前記第２のタッチパネルにて検知された前記物体の接触の状態に基づいて決定した処理を実行する、タッチパネル装置。
【請求項２】
請求項１に記載のタッチパネル装置において、
前記制御部は、前記２つ以上の選択画像が示すデータに対して実行する処理を、前記第２のタッチパネルにて検知された前記物体の接触の位置の数に応じて決定するタッチパネル装置。
【請求項３】
請求項２に記載のタッチパネル装置において、
記憶部を有し、
前記制御部は、前記第２のタッチパネルにて検知された前記物体の接触の位置の数が第１の数である場合、前記２つ以上の選択画像が示すデータを前記記憶部に記憶させるタッチパネル装置。
【請求項４】
請求項３に記載のタッチパネル装置において、
前記制御部は、前記第２のタッチパネルにて検知された前記物体の接触の位置の数が第２の数である場合、前記２つ以上の選択画像が示すデータを１つのデータに統合して前記記憶部に記憶させるタッチパネル装置。
【請求項５】
請求項１乃至４のいずれか１項に記載のタッチパネル装置において、
前記第１のタッチパネルと前記第２のタッチパネルとは、当該タッチパネル装置の相互に対向する面に設けられたタッチパネル装置。
【請求項６】
物体の接触を検知する第１および第２のタッチパネルを有するタッチパネル装置における処理決定方法であって、
前記第１のタッチパネルに表示される、それぞれがデータを示す複数の画像と、各画像の当該第１のタッチパネルにおける表示位置とを対応付けるステップと、
前記第１のタッチパネルにて検知された前記物体の接触の位置に基づいて前記複数の画像のうちから２つ以上の画像を選択し、該２つ以上の選択画像が示すデータに対する処理を、予め決められた複数の種類の処理のうちから、前記第２のタッチパネルにて検知された前記物体の接触の状態に基づいて決定するステップと、を有する処理決定方法。
【請求項７】
物体の接触を検知する第１および第２のタッチパネルを有するタッチパネル装置に、
前記第１のタッチパネルに表示される、それぞれがデータを示す複数の画像と、各画像の当該第１のタッチパネルにおける表示位置とを対応付ける機能と、
前記第１のタッチパネルにて検知された前記物体の接触の位置に基づいて前記複数の画像のうちから２つ以上の画像を選択し、該２つ以上の選択画像が示すデータに対する処理を、予め決められた複数の種類の処理のうちから、前記第２のタッチパネルにて検知された前記物体の接触の状態に基づいて決定する機能と、を実現させるためのプログラム。
【発明の詳細な説明】
【技術分野】
【０００１】
本発明は、タッチパネルを備えたタッチパネル装置、処理決定方法、プログラムおよびタッチパネルシステムに関する。
【背景技術】
【０００２】
近年、携帯ゲーム機やスマートフォン等、タッチパネルを搭載し、操作者の直観的な操作を可能にするタッチパネル装置が普及してきている。タッチパネルは、画像を表示する機能とともに、操作者からの入力を受け付ける機能を有している。
【０００３】
タッチパネル装置のタッチパネルに表示された画像が示すデータに対して何らかの処理を実行する場合、操作者はまず、指や専用ペン等でタッチパネルに表示された画像に接触して画像を選択する。次に、操作者は、選択した画像が示すデータに対する処理の種類、例えばデータの記憶等を選択する。
【０００４】
このとき、操作者は、処理の種類を選択するためのメニュー画面等を用いて処理の種類を選択する必要がある。つまり、操作者は、メニュー画面等をタッチパネルに表示させるための操作を予め知っていなくてはならず、直観的な操作が可能なタッチパネル装置の優位性を十分に活用することができない。
【０００５】
ここで、タッチパネル上に表示された画像の制御を、もう１つのタッチパネルを操作することで実行するための技術が例えば、特許文献１に開示されている。
【先行技術文献】
【特許文献】
【０００６】
【特許文献１】特開２００９−１８７２９０号公報
【発明の概要】
【発明が解決しようとする課題】
【０００７】
上述した特許文献１に開示された技術を用いれば、１つのタッチパネルに接触して選択された画像が示すデータに対する１つの種類の処理を、もう１つのタッチパネルに対する操作で実行することは可能である。
【０００８】
ところが通常、タッチパネルに表示された画像が示すデータに対する処理の種類は、データの記憶やデータの移動、データの削除等、複数ある。
【０００９】
特許文献１に開示された技術を用いても、実行したい処理の種類をメニュー画面を用いて選択する必要があり、直観的な操作が可能なタッチパネル装置の優位性を十分に活用できなくなってしまうという問題点は解決されない。
【００１０】
本発明は、複数の種類の処理のそれぞれを直観的な操作で実行させることが可能なタッチパネル装置、処理決定方法、プログラムおよびタッチパネルシステムを提供することを目的とする。
【課題を解決するための手段】
【００１１】
上記目的を達成するために本発明のタッチパネル装置は、物体の接触を検知する第１および第２のタッチパネルと、
前記第１のタッチパネルに表示される、データを示す画像と、該画像の当該第１のタッチパネルにおける表示位置とを対応付け、予め決められた複数の種類の処理のうち、前記第１のタッチパネルにて検知された接触の位置に対応する画像である選択画像が示すデータに対して実行する処理を、前記第２のタッチパネルにて検知された接触の状態に基づいて決定する制御部と、を有する。
【００１２】
また、上記目的を達成するために本発明の処理決定方法は、物体の接触を検知する第１および第２のタッチパネルを有するタッチパネル装置における処理決定方法であって、
前記第１のタッチパネルに表示される、データを示す画像と、該画像の当該第１のタッチパネルにおける表示位置とを対応付けるステップと、
予め決められた複数の種類の処理のうち、前記第１のタッチパネルにて検知された接触の位置に対応する画像である選択画像が示すデータに対して実行する処理を、前記第２のタッチパネルにて検知された接触の状態に基づいて決定するステップと、を有する。
【００１３】
また、上記目的を達成するために本発明のプログラムは、物体の接触を検知する第１および第２のタッチパネルを有するタッチパネル装置に、
前記第１のタッチパネルに表示される、データを示す画像と、該画像の当該第１のタッチパネルにおける表示位置とを対応付ける機能と、
予め決められた複数の種類の処理のうち、前記第１のタッチパネルにて検知された接触の位置に対応する画像である選択画像が示すデータに対して実行する処理を、前記第２のタッチパネルにて検知された接触の状態に基づいて決定する機能と、を実現させる。
【００１４】
また、上記目的を達成するために本発明のタッチパネルシステムは、物体の接触を検知する第１のタッチパネルを備えた第１のタッチパネル装置と、
物体の接触を検知する第２のタッチパネルを備えた第２のタッチパネル装置と、を有し、
前記第１のタッチパネル装置は、予め決められた複数の種類の処理が対応付けられた画像を表示するとともに、該表示された画像と、該画像の前記第１のタッチパネルにおける表示位置とを対応付け、前記第１のタッチパネルにて検知された接触の位置に対応する画像を選択画像として認識し、前記選択画像に対応付けられた複数の種類の処理のいずれかを前記第２のタッチパネルにて検知された接触の状態に基づいて選択し、該選択された処理を実行する。
【発明の効果】
【００１５】
本発明は以上説明したように構成されているので、操作者は実行したい処理の種類をメニュー画面等を用いて選択する必要がない。
【００１６】
従って、複数の種類の処理のそれぞれを直観的な操作で実行させることが可能となる。
【図面の簡単な説明】
【００１７】
【図１】本発明のタッチパネル装置の第１の実施形態の構成を示すブロック図である。
【図２】図１に示したタッチパネル装置の外観図である。
【図３】図１および図２に示したタッチパネル装置の動作を説明するためのフローチャートである。
【図４】本発明のタッチパネル装置の第２の実施形態の構成を示すブロック図である。
【発明を実施するための形態】
【００１８】
以下に、本発明の実施の形態について図面を参照して説明する。
【００１９】
（第１の実施形態）
図１は、本発明のタッチパネル装置の第１の実施形態の構成を示すブロック図である。また、図２は、図１に示したタッチパネル装置１０の外観図である。
【００２０】
本実施形態のタッチパネル装置１０は図１に示すように、制御部１１と、複数のフォルダが設定された記憶部１２と、外部接続部１３と、第１のタッチパネルであるタッチパネル１４と、第２のタッチパネルであるタッチパネル１５とを備えている。なお、第１のタッチパネルと第２のタッチパネルとは図２に示すように、タッチパネル装置１０において相互に対向する面に設けられている。
【００２１】
記憶部１２は、例えばＨＤＤ（Ｈａｒｄ  Ｄｉｓｋ  Ｄｒｉｖｅ）である。
【００２２】
外部接続部１３は例えば、インターネットに接続するための通信機能や、パーソナルコンピュータ等の外部機器にタッチパネル装置１０を接続するための機能を備えている。
【００２３】
タッチパネル１４は、記憶部１２に記憶されたデータを示す画像や、外部接続部１３を介して参照可能となったインターネットのＷｅｂサイト上のデータを示す画像や、外部機器上のデータ等を示す画像を表示する。なお、ここでいう画像とは具体的には、アイコン画像やサムネイル画像等である。タッチパネル装置１０の操作者（以降、単に操作者という）は、指等の物体でタッチパネル１４に接触し、表示された画像を選択することになる。タッチパネル１４は、操作者の指等での接触を検知し、検知した接触の位置を示す第１の検知情報を制御部１１へ出力する。なお、操作者は、複数の指でタッチパネル１４に接触することで、複数の画像を選択することも可能である。また、操作者は、タッチパネル１４に指等を接触させたまま、タッチパネル１４上でその指等を滑らせることで複数の画像をまとめて選択することも可能である。この場合、タッチパネル１４は、指等を滑らせた範囲を、検知した接触の位置とした第１の検知情報を制御部１１へ出力することになる。
【００２４】
タッチパネル１５は、操作者の指等での接触を検知する。そして、タッチパネル１５は、検知された接触の状態を示す情報を第２の検知情報として制御部１１へ出力する。具体的にはタッチパネル１５は、検知した接触の位置の数を示す情報を第２の検知情報として制御部１１へ出力する。
【００２５】
制御部１１は、タッチパネル１４に表示される画像と、その画像のタッチパネル１４における表示位置とを対応付けて記憶している。また、制御部１１は、タッチパネル１４から出力された第１の検知情報を受け付け、受け付けた第１の検知情報が示す接触の位置に対応する画像を、操作者が選択した選択画像として認識する。また、制御部１１は、タッチパネル１５から出力された第２の検知情報を受け付けると、予め決められた複数の種類の処理のうち認識された選択画像が示すデータに対して実行する処理を、受け付けた第２の検知情報が示す数に応じて決定する。なお、予め決められた複数の種類の処理の一例については、後述する動作フローで説明する。
【００２６】
以下に、上記のように構成されたタッチパネル装置１０の動作について説明する。
【００２７】
図３は、図１および図２に示したタッチパネル装置１０の動作を説明するためのフローチャートである。なお、ここでは、外部接続部１３を介してインターネットに接続し、Ｗｅｂサイトが提供している複数のデータのそれぞれを示す複数の画像がタッチパネル１４に表示されている場合について説明する。
【００２８】
操作者は、タッチパネル１４に指等で接触し、または、接触させながら滑らせて、タッチパネル１４に表示された複数の画像のうちの少なくとも１つを選択する。また、操作者は、タッチパネル１５に指等で接触する。なお、操作者は、タッチパネル１４とタッチパネル１５とのどちらから先に接触してもよい。
【００２９】
タッチパネル１４は、接触を検知し（ステップＳ１）、検知した接触の位置を示す第１の検知情報を制御部１１へ出力する。
【００３０】
タッチパネル１５は、接触を検知し（ステップＳ２）、検知した接触の位置の数を示す第２の検知情報を制御部１１へ出力する。
【００３１】
制御部１１は、タッチパネル１４から出力された第１の検知情報と、タッチパネル１５から出力された第２の検知情報とを受け付ける。
【００３２】
そして、制御部１１は、受け付けた第１の検知情報が示す接触の位置に対応する画像を選択画像として認識する（ステップＳ３）。
【００３３】
そして、制御部１１は、選択画像の数を確認する（ステップＳ４）。
【００３４】
ステップＳ４における確認の結果、選択画像の数が１つである場合、制御部１１は、受け付けた第２の検知情報が示す数を確認する。すなわち、制御部１１は、タッチパネル１５にて検知された接触の位置の数を確認する（ステップＳ５）。
【００３５】
そして、制御部１１は、選択画像が１つである場合に実行する処理として予め決められた複数の種類の処理のうち、ステップＳ３にて認識した選択画像が示すデータに対して実行する処理を、ステップＳ５にて確認した数に応じて決定する（ステップＳ６）。
【００３６】
そして、制御部１１は、決定した処理を実行する（ステップＳ７）。具体的には例えば、受け付けた第２の検知情報が示す数が１である場合、制御部１１は、ステップＳ３にて認識した選択画像が示すデータをＷｅｂサイトからダウンロードし、記憶部１２に設定された複数のフォルダのうちの所定のフォルダ内に記憶させる。また、例えば受け付けた第２の検知情報が示す数が２である場合、制御部１１は、ステップＳ３にて認識した選択画像が示すデータをＷｅｂサイトからダウンロードして一時的に記憶する。
【００３７】
一方、ステップＳ４における確認の結果、選択画像の数が複数である場合、制御部１１は、受け付けた第２の検知情報が示す数を確認する。すなわち、制御部１１は、タッチパネル１５にて検知された接触の位置の数を確認する（ステップＳ８）。
【００３８】
そして、制御部１１は、選択画像が複数である場合に実行する処理として予め決められた複数の種類の処理のうち、ステップＳ３にて認識した複数の選択画像のそれぞれが示す複数のデータに対して実行する処理を、ステップＳ８にて確認した数に応じて決定する（ステップＳ９）。
【００３９】
そして、ステップＳ７の処理へ遷移し、制御部１１は、決定した処理を実行する。具体的には例えば、受け付けた第２の検知情報が示す数が１である場合、制御部１１は、ステップＳ３にて認識した複数の選択画像のそれぞれが示す複数のデータをＷｅｂサイトからダウンロードし、記憶部１２に設定された複数のフォルダのうちの所定のフォルダ内に記憶させる。また、例えば受け付けた第２の検知情報が示す数が２である場合、制御部１１は、ステップＳ３にて認識した複数の選択画像のそれぞれが示す複数のデータをＷｅｂサイトからダウンロードして一時的に記憶する。また、例えば受け付けた第２の検知情報が示す数が３である場合、ステップＳ３にて認識した複数の選択画像のそれぞれが示す複数のデータを１つのデータに統合し、記憶部１２に設定された複数のフォルダのうちの所定のフォルダ内に記憶させる。なお、複数のデータの統合とは例えば、複数のテキストデータや、複数のＰＤＦ（Ｐｏｒｔａｂｌｅ  Ｄｏｃｕｍｅｎｔ  Ｆｏｒｍａｔ）データの統合である。また、ここでいう複数のデータの統合には、複数の画像データを統合することも含んでいる。この場合、その複数の画像データに基づく複数の画像が合成されて１つの画像となる。
【００４０】
このように本実施形態においてタッチパネル装置１０は、物体の接触を検知するタッチパネル１４，１５を有する。また、タッチパネル１４に表示される、データを示す画像と、その画像のタッチパネル１４における表示位置とを対応付ける制御部１１を有する。
【００４１】
そして、制御部１１は、予め決められた複数の種類の処理のうち、タッチパネル１４にて検知された接触の位置に対応する画像である選択画像が示すデータに対して実行する処理を、タッチパネル１５にて検知された接触の状態に基づいて決定する。
【００４２】
これにより、操作者は実行したい処理の種類をメニュー画面等を用いて選択する必要がない。従って、複数の種類の処理のそれぞれを直観的な操作で実行させることが可能となる。
【００４３】
また、図２に示すように、タッチパネル１４とタッチパネル１５とを、タッチパネル装置１０の相互に対向する面に設けることで、操作者はタッチパネル装置１０を指で挟み込むようにしながらタッチパネル装置１０の操作を行うことになる。そのため、タッチパネル装置１０を落下させてしまう危険性が低くなる。
【００４４】
なお、本実施形態においては、制御部１１が実行する予め決められた複数の種類の処理として、データの記憶や複数のデータの統合を一例として説明したが、これらの処理の種類は一例であり、制御部１１が実行する処理は、これらに限定されない。
【００４５】
また、本実施形態のタッチパネル装置を携帯端末に適用すれば、携帯端末において文字を入力する際の操作性を向上させることができる。具体的には、タッチパネル１４にキーボードを表示する。そして、操作者が、表示されたキーボードに指等で接触して文字を入力する際、例えばタッチパネル１５において検知された接触の位置の数が１である場合は、Ｓｈｉｆｔキーが押下された状態とし、第２のタッチパネルにおいて検知された接触の位置の数が２の場合は、Ｓｈｉｆｔキーとｃｔｒｌキーとの両方が押下された状態とする。これにより、操作者は、文字入力をする際にｓｈｉｆｔキーやｃｔｒｌキーが押下された状態にするための画面操作等を行う必要がなくなる。
【００４６】
また、本実施形態では、２つのタッチパネルが１つの筺体に備えられたタッチパネル装置について説明したが、例えば、タッチパネルを１つずつ備えた２つのタッチパネル装置からなるタッチパネルシステムにも本発明を適用することもできる。
【００４７】
例えば、タッチパネルシステムを適用したゲーム機が考えられる。このゲーム機では、一方のタッチパネル装置の操作者が、指等でタッチパネルに接触してそのタッチパネルに表示された複数の画像のうちのいずれかを選択する。これにより、選択画像が認識される。なお、この複数の画像のそれぞれは例えば、ロールプレイングゲーム等において選択可能なアイテム等を示す画像である。そして、もう一方のタッチパネル装置の操作者が、指等でそのタッチパネル装置のタッチパネルに接触する。その際に接触した指等の数に応じ、選択画像に対応付けられ、選択画像が示すアイテム等に予め設定された複数の種類のストーリーのうちのいずれかが選択され、選択されたストーリーでゲームが進行していくというようなものである。これにより、複数のプレーヤーが共同してゲームを楽しむことができる。
【００４８】
また、上記のタッチパネルシステムを適用したものとして、正誤判定式のクイズを実現するゲーム機が考えられる。このゲーム機では、一方のタッチパネル装置のタッチパネルに、複数の設問のそれぞれを示す複数の画像を表示しておく。そして、そのタッチパネル装置の操作者が、指等でタッチパネルに接触し、表示された複数の画像のうちのいずれかを選択する。これにより、選択画像が認識されるとともに、選択画像が示す設問がもう一方のタッチパネル装置のタッチパネルに表示される。そして、そのタッチパネル装置の操作者は、表示された設問が正しいと思った場合には、例えば指１本でタッチパネルに接触し、誤っていると思った場合には、例えば指２本でタッチパネルに接触する。これにより、選択画像に対応付けられ、その選択画像が示す設問に対する正誤に応じて予め設定された複数の種類の処理のうちのいずれかが選択され、選択された処理が実行されるというようなものである。
【００４９】
（第２の実施形態）
図４は、本発明のタッチパネル装置の第２の実施形態の構成を示すブロック図である。図４において、図１に示したものと同一の構成のものには同一の符号を付してある。
【００５０】
本実施形態においてタッチパネル装置２０は、物体の接触を検知するタッチパネル１４，１５を有する。また、タッチパネル１４に表示される、データを示す画像と、その画像のタッチパネル１４における表示位置とを対応付ける制御部１１を有する。
【００５１】
そして、制御部１１は、予め決められた複数の種類の処理のうち、タッチパネル１４にて検知された接触の位置に対応する画像である選択画像が示すデータに対して実行する処理を、タッチパネル１５にて検知された接触の状態に基づいて決定する。
【００５２】
これにより、操作者は実行したい処理の種類をメニュー画面等を用いて選択する必要がない。従って、複数の種類の処理のそれぞれを直観的な操作で実行させることが可能となる。
【００５３】
なお、上述した第１および第２の実施形態では、予め決められた複数の種類の処理のうち選択画像が示すデータに対して実行する処理を、タッチパネル１５にて検知された接触の位置の数に応じて決定する場合について説明した。ただし、選択画像が示すデータに対して実行する処理は、接触の位置の数に応じて決定されることに限定されない。例えば操作者が指等でタッチパネル１５に接触したままその指等を滑らせ、その滑らせた軌跡をタッチパネル１５が接触として検知する。そして、制御部１１が、その軌跡の形や長さ等に応じ、選択画像が示すデータに対して実行する処理を決定するようにしてもよい。
【００５４】
一例としては、タッチパネル１５にて接触として検知された軌跡が環状である場合、タッチパネル１５がその旨を示す情報を第２の検知情報として制御部１１へ出力する。また、タッチパネル１５にて接触として検知された軌跡が直線状である場合、タッチパネル１５がその旨を示す情報を第２の検知情報として制御部１１へ出力する。そして、制御部１１は、予め決められた複数の種類の処理のうち選択画像が示すデータに対して実行する処理を、受け付けた第２の検知情報が示す情報に基づいて決定する。
【００５５】
また、例えば操作者が複数回に分けて指等でタッチパネル１５に接触し、接触した回数や接触した間隔に応じ、選択画像が示すデータに対して実行する処理を決定するようにしてもよい。
【００５６】
また、本発明においては、タッチパネル装置内の処理は上述の専用のハードウェアで実現されるもの以外に、その機能を実現するためのプログラムをタッチパネル装置にて読取可能な記録媒体に記録し、この記録媒体に記録されたプログラムをタッチパネル装置に読み込ませ、実行するものであっても良い。タッチパネル装置にて読取可能な記録媒体とは、フレキシブルディスク、光磁気ディスク、ＤＶＤ、ＣＤなどの移設可能な記録媒体の他、タッチパネル装置に内蔵されたＨＤＤなどを指す。
【符号の説明】
【００５７】
１０，２０    タッチパネル装置
１１    制御部
１２    記憶部
１３    外部接続部
１４，１５    タッチパネル
【図１】
0005709206.tif 000002
【図２】
0005709206.tif 000003
【図３】
0005709206.tif 000004
【図４】
0005709206.tif 000005